(57)【要約】【課題】  携帯電話等の携帯可能な端末によってネイルアートサロンに持ち込み可能なネイルアートコンテンツ表示装置および取得した画像によりネイルアートサロンで予約可能なネイルアートコンテンツ表示システムを提供する。【解決手段】    ネイルアートコンテンツ１１を項目別に登録したネイルアートサーバ１０と、検索手段と、検索した結果を画像データとして表示可能な表示手段とを有し、前記ネイルアートサーバに通信回線を用いて接続可能なユーザ端末２０とから構成されたネイルアートコンテンツ表示システムであって、前記ネイルアートサーバ１０は前記ユーザ端末２０から前記ネイルアートサーバ１０にアクセスし、所定のネイルアート画像を検索されると、該当するネイルアート画像を前記ユーザ端末２０に送信する。【選択図】      図１
2008165316.tif 000002
【特許請求の範囲】
【請求項１】
ネイルアートコンテンツを項目別に登録したネイルアートサーバと、
検索手段と、検索した結果を画像データとして表示可能な表示手段とを有し、前記ネイルアートサーバに通信回線を用いて接続可能なユーザ端末とから構成されたネイルアートコンテンツ表示システムであって、
前記ネイルアートサーバは
前記ユーザ端末から前記ネイルアートサーバにアクセスし、所定のネイルアート画像を検索されると、
該当するネイルアート画像を前記ユーザ端末に送信する、
ことを特徴とする、ネイルアートコンテンツ表示システム。
【請求項２】
前記ネイルアートコンテンツは、複数のデザインと、前記各デザインに対する複数のカラーバリエーションを有していることを特徴とする請求項１に記載のネイルアートコンテンツ表示システム。
【請求項３】
前記ネイルアートコンテンツは、写真を用いない画像イメージデータから構成されていることを特徴とする請求項１又は請求項２に記載のネイルアートコンテンツ表示システム。
【請求項４】
前記ネイルアートコンテンツは、アートのジャンル別に分類され、前記端末は、前記アートのジャンルに基づいて対応する画像を検索することを特徴とする請求項１から請求項３のいずれか１項に記載のネイルアートコンテンツ表示システム。
【請求項５】
前記ネイルアートコンテンツは、各ネイルアートコンテンツのタイトルに関する情報を有していることを特徴とする請求項１から請求項４のいずれか１項に記載のネイルアートコンテンツ表示システム。
【請求項６】
前記ネイルアートサーバは、季節に応じたネイルアートに関する項目を有していることを特徴とする請求項１から請求項５のいずれか１項に記載のネイルアートコンテンツ表示システム。
【請求項７】
前記ユーザ端末は、ネイルアートのジャンル、色、ネイルアートのタイトルの少なくとも一つから所定のネイルアートコンテンツを検索し、検索したネイルアートコンテンツを取得することを特徴とする請求項２から請求項６のいずれか１項に記載のネイルアートコンテンツ表示システム。
【請求項８】
ネイルアートコンテンツ表示システムはさらに、前記ネイルアートコンテンツサーバおよびユーザ端末の通信回線を介して接続可能なネイルアートサロンの端末を含み
前記ユーザ端末は、取得した画像に基づいて、ネイルアートサロンの端末に予約メールを送信することを特徴とする、請求項１から請求項７のいずれか１項に記載のネイルアートコンテンツ表示システム。
【請求項９】
前記ネイルアートコンテンツは、マニキュアの型番、ビーズを含む装飾品の型番を含む各ネイルアートコンテンツを施すのに必要な消耗品および、ネイリストの道具に関する情報を各ネイルアートコンテンツに対応して有しており、
前記ネイルアートサロンの端末は、各消耗品の在庫情報およびユーザの予約情報を有しており、そして前記ユーザ端末から予約メールを受信すると、対応する消耗品に関する情報と、予約情報に基づいて前記ユーザ端末へ応答メールを送信することを特徴とする請求項８に記載のネイルアートコンテンツ表示システム。
【請求項１０】
前記ユーザ端末からの予約メールは、選択した画像に対応するテキストデータであることを特徴とする請求項８または請求項９に記載のネイルアートコンテンツ表示システム。
【請求項１１】
前記ネイルアートサロンの端末は、ネイルアーティストのスキルレベルに関する情報を含むことを特徴とする、請求項８から請求項１０のいずれか１項に記載のネイルアートコンテンツシステム。
【請求項１２】
前記ネイルアートコンテンツサーバは、登録されたネイルアートサロンの端末の所在地の情報を有しており、前記ユーザ端末は、前記所在地に基づき登録されたネイルアートサロンを検索することを特徴とする請求項８から請求項１１のいずれか１項に記載のネイルアートコンテンツシステム。
【請求項１３】
ネイルアートコンテンツを項目別に登録したネイルアートサーバと通信回線を介して接続可能なユーザ端末から構成されたネイルアート表示装置であって、
前記ネイルアート表示装置は、
検索手段と、検索した結果を画像データとして表示可能な表示手段とを有し、
前記ネイルアートサーバにアクセスして、所定のネイルアート画像を検索し、
該当するネイルアート画像を前記ネイルアートサーバより受信して、
受信したネイルアート画像を前記表示手段に表示する
ことを特徴とするネイルアートコンテンツ表示装置。
【請求項１４】
前記ネイルアートコンテンツは、複数のデザインと、前記各デザインに対する複数のカラーバリエーションを有していることを特徴とする請求項１３に記載のネイルアートコンテンツ表示装置。
【請求項１５】
前記ネイルアートコンテンツは、写真を用いない画像イメージデータから構成されていることを特徴とする請求項１３又は請求項１４に記載のネイルアートコンテンツ表示装置。
【請求項１６】
前記ネイルアートコンテンツは、アートのジャンル別に分類され、前記端末は、前記アートのジャンルに基づいて対応する画像を検索することを特徴とする請求項１３から請求項１５のいずれか１項に記載のネイルアートコンテンツ表示装置。
【請求項１７】
前記ネイルアートサーバは、季節に応じたネイルアートに関する項目を有していることを特徴とする請求項１３から請求項１６のいずれか１項に記載のネイルアートコンテンツ表示装置。
【発明の詳細な説明】
【技術分野】
【０００１】
本発明は、ネイルアートコンテンツ表示装置およびネイルアートコンテンツ表示システムに関する。
【背景技術】
【０００２】
近年、ネイルアートサロンで爪の手入れをする女性が増加する傾向にある。一般には、自分でネイルケアをするのは、女性にとって一苦労である。利き手ではないほうの爪に利き手によりネイルケアを施す場合はともかく、利き手を利き手でない方の手によりネイルケアを爪を施す場合は、なかなか上手くいかない場合が多い。さらに、生活のなかでのマニキュア塗りは、せっかく塗っても乾かないうちに手をつかってしまいダメにしてしまうことも多い。
【０００３】
一方、ネイルアートサロンにおけるプロの手によるケアとマニキュアは、自分で行うより数倍美しく、剥げ落ちもないまま長持ちする。また、ハンドマッサージによるリラックス効果も見逃せない。女性にとってネイルアートサロンは、「美と気分」の両方を満たすサービスとして、お金をかけてでも受けたいもののひとつになっている。
【０００４】
このような背景において、プロが施工を行うことにより可能になったといえる「ネイルアート」をする女性が増えてきている。ネイルアートサロンには、そのサロンのネイル技術者が作成したネイルデザインが見本として数多く並んでいる。サロンに来た客は、そのなかから自分の好みのアートを選びオーダーする。また、ネイル雑誌も数多く出回っており、雑誌の写真を持ってきてオーダーする客も多い。さらに、近年ではインターネットによるネイルアートギャラリーも存在し、ネイルアートギャラリーからサンプル画像を印刷する場合もある（例えば、非特許文献１参照）。
【非特許文献１】http://www.beautyplanet.jp/nail_glry.html  （平成18年12月18日検索）
【発明の開示】
【発明が解決しようとする課題】
【０００５】
しかしながら、ネイルアートを実施する多くの客が若年層を中心とした世代であるため、デザインが若い女性中心のものになっている。そのため年齢層が高い、企業の総合職やキャリアを持つ女性が、このような爪をしていたらビジネスのうえで、信頼感を損なうことにもなりかねない。同様に乳幼児〜小中学生を持つ子供の母親や主婦も、人付き合いの関係から若い女性向けのデザインを敬遠する傾向にある。
さらに、ネイル雑誌やインターネットなど極限られた場所でしか、所望とするネイルデザインを取得できない。
【０００６】
従って、本発明の課題は、携帯電話等の携帯可能な端末によってネイルアートサロンに持ち込み可能なネイルアートコンテンツ表示装置および取得した画像によりネイルアートサロンで予約可能なネイルアートコンテンツ表示システムを提供することである。
【課題を解決するための手段】
【０００７】
上記課題を解決する本発明は、次の各項目に関する。
〔１〕  ネイルアートコンテンツを項目別に登録したネイルアートサーバと、
検索手段と、検索した結果を画像データとして表示可能な表示手段とを有し、前記ネイルアートサーバに通信回線を用いて接続可能なユーザ端末とから構成されたネイルアートコンテンツ表示システムであって、前記ネイルアートサーバは、前記ユーザ端末から前記ネイルアートサーバにアクセスし、所定のネイルアート画像を検索されると、該当するネイルアート画像を前記ユーザ端末に送信する、ことを特徴とする、ネイルアートコンテンツ表示システム。
【０００８】
〔２〕  前記ネイルアートコンテンツは、複数のデザインと、前記各デザインに対する複数のカラーバリエーションを有していることを特徴とする〔１〕に記載のネイルアートコンテンツ表示システム。
【０００９】
〔３〕  前記ネイルアートコンテンツは、写真を用いない画像イメージデータから構成されていることを特徴とする〔１〕又は〔２〕に記載のネイルアートコンテンツ表示システム。
【００１０】
〔４〕  前記ネイルアートコンテンツは、アートのジャンル別に分類され、前記端末は、前記アートのジャンルに基づいて対応する画像を検索することを特徴とする〔１〕から〔３〕のいずれか１項に記載のネイルアートコンテンツ表示システム。
【００１１】
〔５〕  前記ネイルアートコンテンツは、各ネイルアートコンテンツのタイトルに関する情報を有していることを特徴とする〔１〕から〔４〕のいずれか１項に記載のネイルアートコンテンツ表示システム。
【００１２】
〔６〕  前記ネイルアートサーバは、季節に応じたネイルアートに関する項目を有していることを特徴とする〔１〕から〔５〕のいずれか１項に記載のネイルアートコンテンツ表示システム。
【００１３】
〔７〕  前記ユーザ端末は、ネイルアートのジャンル、色、ネイルアートのタイトルの少なくとも一つから所定のネイルアートコンテンツを検索し、検索したネイルアートコンテンツを取得することを特徴とする〔２〕から〔６〕のいずれか１項に記載のネイルアートコンテンツ表示システム。
【００１４】
〔８〕  ネイルアートコンテンツ表示システムはさらに、前記ネイルアートコンテンツサーバおよびユーザ端末の通信回線を介して接続可能なネイルアートサロンの端末を含み
前記ユーザ端末は、取得した画像に基づいて、ネイルアートサロンの端末に予約メールを送信することを特徴とする、〔１〕から〔７〕のいずれか１項に記載のネイルアートコンテンツ表示システム。
【００１５】
〔９〕  前記ネイルアートコンテンツは、マニキュアの型番、ビーズを含む装飾品の型番を含む各ネイルアートコンテンツを施すのに必要な消耗品および、ネイリストの道具に関する情報を各ネイルアートコンテンツに対応して有しており、
前記ネイルアートサロンの端末は、各消耗品の在庫情報およびユーザの予約情報を有しており、そして前記ユーザ端末から予約メールを受信すると、対応する消耗品に関する情報と、予約情報に基づいて前記ユーザ端末へ応答メールを送信することを特徴とする〔８〕に記載のネイルアートコンテンツ表示システム。
【００１６】
〔１０〕  前記ユーザ端末からの予約メールは、選択した画像に対応するテキストデータであることを特徴とする〔８〕または〔９〕に記載のネイルアートコンテンツ表示システム。
【００１７】
〔１１〕  前記ネイルアートサロンの端末は、ネイルアーティストのスキルレベルに関する情報を含むことを特徴とする、〔８〕から〔１０〕のいずれか１項に記載のネイルアートコンテンツシステム。
【００１８】
〔１２〕  前記ネイルアートコンテンツサーバは、登録されたネイルアートサロンの端末の所在地の情報を有しており、前記ユーザ端末は、前記所在地に基づき登録されたネイルアートサロンを検索することを特徴とする〔８〕から〔１１〕のいずれか１項に記載のネイルアートコンテンツシステム。
【００１９】
〔１３〕  ネイルアートコンテンツを項目別に登録したネイルアートサーバと通信回線を介して接続可能なユーザ端末から構成されたネイルアート表示装置であって、前記ネイルアート表示装置は、検索手段と、検索した結果を画像データとして表示可能な表示手段とを有し、前記ネイルアートサーバにアクセスして、所定のネイルアート画像を検索し、該当するネイルアート画像を前記ネイルアートサーバより受信して、受信したネイルアート画像を前記表示手段に表示することを特徴とするネイルアートコンテンツ表示装置。
【００２０】
〔１４〕  前記ネイルアートコンテンツは、複数のデザインと、前記各デザインに対する複数のカラーバリエーションを有していることを特徴とする〔１３〕に記載のネイルアートコンテンツ表示装置。
【００２１】
〔１５〕  前記ネイルアートコンテンツは、写真を用いない画像イメージデータから構成されていることを特徴とする〔１３〕又は〔１４〕に記載のネイルアートコンテンツ表示装置。
【００２２】
〔１６〕  前記ネイルアートコンテンツは、アートのジャンル別に分類され、前記端末は、前記アートのジャンルに基づいて対応する画像を検索することを特徴とする〔１３〕から〔１５〕のいずれか１項に記載のネイルアートコンテンツ表示装置。
【００２３】
〔１７〕  前記ネイルアートサーバは、季節に応じたネイルアートに関する項目を有していることを特徴とする請求項１３から請求項１６のいずれか１項に記載のネイルアートコンテンツ表示装置。
【発明の効果】
【００２４】
本発明によると、若年層からそれ以上の年代など年齢・ＴＰＯに応じたネイルアートコンテンツであるデザイン画像を携帯端末に代表される過般の端末で取得可能であり、取得した画像に基づいてネイルアートを施すことが可能となる。
また、ネイルアートサロンの端末を有する本発明のシステムにおいては、ネイルアートサロンの予約等を、ネットワークを介してユーザ端末により行うことが可能となる。
【発明を実施するための最良の形態】
【００２５】
以下、本発明の第１実施の形態を添付図面に基づいて説明する。
図１は、本発明のネイルアートコンテンツ表示システムの全体の構成を示す図面であり、図２は、本発明のネイルアートコンテンツ表示システムにおけるユーザインターフェースの一例を示す図面であり、図３は、ユーザ端末による検索画面の一例を示す図面であり、そして図４および図５は、ネイルアートコンテンツの表示例を示す図面である。
【００２６】
図１に示す通り、本発明のネイルアートコンテンツ表示システムは、ネイルアートコンテンツを項目別に登録したネイルアートサーバ１０と、検索手段と、検索した結果を画像データとして表示可能な表示手段とを有し、前記ネイルアートサーバに通信回線を用いて接続可能なユーザ端末２０とから主として構成されており、所望に応じてネイルアートコンテンツ（デザイン）の提供者であるアーティストの端末３０およびネイルアートサロンの端末４０を含んでもよい。
【００２７】
ネイルアートサーバ１０は、通信機能を有する当該技術分野に周知のサーバから構成されており、ネイルアートコンテンツ１１を検索可能な状態で保存してある、すなわち項目別に保存してある記憶装置を有している。
さらに、図２（ａ）に示す通り、ユーザのアクセスを制限するために記憶装置はユーザ端末情報に関するテーブル１２を有していることが好ましい。このテーブル１２は、ユーザ認証を行うためのテーブルであり、当該技術分野に周知の方法でアクセスされたユーザ端末が正規ユーザであるか否かを判定する。また、新規ユーザを登録するための当該技術分野に周知のユーザ登録を行うことができる。
【００２８】
ユーザ登録は、具体的には、例えば携帯電話等のユーザ端末でインターネットを介してアクセスすると、図２（ａ）に示す通りの登録画面が表示され、新規ユーザの場合には所定内容を確認の上、ユーザ登録に同意した場合には登録内容がテーブル１２に反映される構成となっている（図２（ａ）参照）。
【００２９】
ユーザ端末２０を介してネイルアートサーバ１０にアクセスすると、ネイルアートサーバ１０は認証を行い、アクセスしたユーザ端末１０が正規ユーザである場合には、初期画面が表示される。
初期画面については特に制限されるものではないが、例えば有料で本発明にかかるネイルアート表示システムを運用する場合には例えば図２（ｂ）に示すような初期画面において有料であることを示すことが好ましい。
【００３０】
有料である場合には、検索画面に移行する。なお、本発明にかかるネイルアート無料で提供する場合には、ユーザ認証、有料である旨の表示を省略してそのまま検索画面に移行することも可能である。
【００３１】
検索画面は、図３に示す通り、ジャンル、企画（企画：季節、特別企画等）、アーティスト別、タイトル別、人気ランキング、コンセプト等の索引項目と、これらの下位項目（例えば、ジャンル別の場合、アールヌーボー、アールデコ、近代アート、ネイティブ・アート、ラテンアメリカ、ネイチャー、その他）から構成され、これらを選択するとその下位項目に属するネイルアートコンテンツが画像表示される。なお、下位項目の表示方法は、図３に示す通り同時に表示してもよくあるいは上位の項目だけ表示され、上位項目を選択すると下位項目が表示される構成としてもよい。
【００３２】
このようにして、選択していくと該当する項目のデザイン（ネイルアートコンテンツ）が表示されるが、表示方法について当該技術分野に周知の方法で、各デザインを選択する。例えば、図３に示すように１つ１つの該当する画像を順次選択することもでき、あるいは図４に示す通り、該当する画像をサムネイル表示することも可能である。さらには、１つ１つ表示するかサムネイル表示するかを選択することも可能である。
【００３３】
なお、本発明において表示する画像は、写真画像であってもよいが、あえて写真は使わず、画像によるデザイン表示とすることが好ましい。すなわち、写真を用いた場合、（１）具体的過ぎて、それとそっくりに作りたいという欲求が沸いてしまう点、（２）爪の形、長さも人それぞれであるうえ、サロンにある色が限られる点で好ましくない場合があり、そっくりにならないというギャップを感じるより、使う本人のイマジネーションが沸くようなデザイン表示、例えば図５に示すようなデザイン表示を行いイメージの幅を持たせることが好ましい。
さらに、画像のサイズは、ユーザ端末のサイズに応じて適宜選択することが可能である。
【００３４】
所望のデザインが決定した場合、次いで色、パターンなどを選択してより具体的なネイルアートコンテンツを決定していく（省略可能）。
例えば、色を選択する場合には、カラーパレット等を表示してそのカラーパレットのうち好みの色を選択することにより該当する色のデザインをネイルアートコンテンツとして表示する。
【００３５】
そして、このようにして選択を終了し、好みのネイルアートコンテンツを決定した場合ダウンロードを開始し、該当するネイルアートをユーザ端末で取得する。
なお、ダウンロードは、例えば１回だけでもよくあるいは爪毎に異なるコンテンツを取得する場合には複数回行うことも可能である。
複数回ダウンロードを行う場合には、決定毎にダウンロードを行ってもよくあるいは一括してダウンロードを行ってもよい。
【００３６】
ダウンロードを終了すると、所望に応じてネイルアートサーバは、周知の方法でダウンロードしたネイルアートデザインの統計的解析を行うことが好ましい。
すなわち、ダウンロード数をカウントし、カウントした結果に基づき、ジャンル・年代別・シチュエーション別にランキングを作成することも可能である。なお、年代別、シチュエーション別にランキングを作成する場合にはユーザ登録の際に年齢、職業等の情報を登録することによって周知技術により実施することが可能である。
【００３７】
このようにして解析した結果は、ユーザへの情報や後述するアーティストへの情報として有効に活用することができる。
【００３８】
また、ダウンロードすることによりアーティストの版権使用料を算出することも可能である。このようにして算出した版権使用料に関するデータは、ネイルアートサーバ１０からアーティスト端末に送信される構成にすることも可能である。
【００３９】
次に、アーティスト（ネイルアートデザイナー）からのネイルアート画像のアップロード（画像登録方法）について図１、図６および図７に基づいて説明する。図６は、本発明のネイルアートコンテンツ表示システムにおけるネイルアートサーバの一実施形態を示す図面であり、図７は、ネイルアートコンテンツ表示システムにおけるコンテンツ管理テーブルの一例を示す図面である。
図１および図６に示す通り、本発明のネイルアートサーバ１０には項目別に格納されたコンテンツに登録され、しかる後に、コンテンツをユーザ端末２０により閲覧可能な状態（例えばＨＴＭＬ形式）に変換するが、その際に、ネイルアートサーバ１０は、図７に示すような管理テーブルに基づいて、項目分類、リンクの生成等を行う。
【００４０】
したがって、アーティストの端末３０から新規のネイルアートコンテンツを送付する場合には、図７に示すような情報を付加して送信することが好ましい。なお、アーティストの端末４０は、後述するネイルアートサロンの端末４０と同一の装置であってもよい。すなわち、ネイルアートサロンのアーティストによるデザインを本発明のネイルアートコンテンツサーバに登録することも本発明の範囲内である。
【００４１】
（第２実施形態）
次に、本発明の第２実施の形態を添付図面に基づいて説明する。図８は、本発明の第1実施形態にかかるネイルアートコンテンツ表示システムの全体の構成を示す図面であり、そして図９は、ユーザ端末とネイルアートサーバとアートサロンの端末とのデータの受け渡しを示す図面である。
【００４２】
なお、第２実施形態は、第１実施形態に加えて、ネイルアートサロンの端末を構成要件に加えたネイルアートコンテンツ表示システムに関する。従って、同一の構成要素については同一の符号を付し、その詳細な説明は省略する。
【００４３】
図９に示す通り、本発明の第２実施形態にかかるネイルアートコンテンツ表示システムは、ネイルアートサーバ１０、ユーザ端末２０、アーティストの端末４０とから主として構成され、所望に応じて図１に示す第１実施形態にかかるネイルアートコンテンツ表示システムと同様にアーティストの端末３０を含んでもよい。
【００４４】
図８に示す通り、第２実施形態ではネイルアートサーバ１０は、コンテンツ１１、ユーザ情報１２、アーティスト情報１３に加えてネイルアートサロン情報１４、消耗品情報１５、道具情報１６等の情報を管理している。
【００４５】
ネイルアートサロン情報１４は、ネイルアートサロンの所在地、ネイルアートサロンが保有するネイルアート施行者であるネイルアーティストに関する情報（例えば、ランク分けされたアーティスト情報）等を管理しており、消耗品情報は、ネイルアートに用いるマニキュア（型番毎、色毎）、その他ビーズ等の情報を管理しており、そして道具情報１５は、ネイルアートを施すための道具に関する情報を管理している。
【００４６】
ネイルアートサロンの端末は、サロンが保有するネイルアーティストに関する情報（アーティスト４１）、ネイルアーティスト毎の予約状況を管理するための予約４２、消耗品の在庫、保有する道具などを管理する消耗品・道具情報４３を有している。
ネイルアーティストに関する情報では、前記の通りネイルアーティストのランク分けした情報を保有している。その他、各ネイルアートコンテンツの施行実績などを加えてもよい。
【００４７】
次に、このように構成された、本発明の第２実施形態にかかるネイルアートコンテンツ表示システムの動作の一例を図９に基づいて説明する。
【００４８】
図９に示す通り、まず、ユーザ端末２０は、第１実施形態と同様にして、ネイルアートコンテンツサーバ１０にアクセスして、所望とするネイルアートコンテンツを取得する。
次いで、ユーザ端末２０からネイルアートを施したい地域を指定してネイルアートサロンを特定する（図示せず）。
【００４９】
この際の地域の特定は、例えばユーザ端末２０保有者の自宅付近、勤務先付近、その他保有者の好みの場所を選択することによって実施することができる。
【００５０】
この場合、ネイルアートコンテンツサーバ１０は、地域より該当するネイルアートサロンをリストアップして、ネイルアートサロンの端末のリンクを表示する等により、ネイルアートサロンの端末にアクセスさせる。
【００５１】
次いで、ユーザ端末２０は、ネイルアートサロンの端末４０にアクセスし、予約状況を確認する。すると、ネイルアートサロンの端末４０は、予約状況を予約に関する情報から確認し、予約可能か否かを判断する。
この際に、ユーザ端末２０からは、対応するネイルアートコンテンツの画像を送信するのではなく、対応するネイルアートコンテンツのファイル名、ＩＤ番号等のテキスト情報のみを送信することが接続の容易さやパケット代の節約の点で好ましい。
また、予約の確認に際しては、ファイル名、ＩＤ番号の末尾にランク、例えば（高難易度から低難易度の順にＡ、Ｂ，Ｃ等のランクを付け）、末尾のランクに対応するネイルアーティストの予約状況、末尾のランクより上位のランクのネイルアーティストの予約状況の順に検索することによって対応可能である。
【００５２】
予約が不能な場合には予約できない旨の通知をユーザ端末２０に送信して終了する。この場合、ユーザ端末２０は、ネイルアートコンテンツサーバ１０に再接続して他のネイルアートサロンを検索することも可能である。
【００５３】
予約が可能な場合、ネイルアートサロンの端末４０は、次いで消耗品、道具を検索し、ユーザ端末２０から送信されたネイルアートコンテンツを施すことが可能か否かを判断する。具体的には、ネイルアートサロン４０の端末は、ネイルアートコンテンツサーバ１０にアクセスし、対応するネイルアートコンテンツに要求される消耗品、道具を確認する。
【００５４】
ネイルアートサロンの端末４０は、消耗品等の確認の結果、対応可能な場合（Ｙｅｓ）、予約確認メールをユーザ端末に送信して終了する。
一方、対応不能な場合（Ｎｏ）、対応不能をユーザ端末２０に通知する。
【００５５】
対応不能の旨の通知を受け取ると、ユーザ端末２０は、再度ネイルアートコンテンツを検索するか否か（すなわち、ネイルアートコンテンツを代えてネイルアートサロンに予約をするか、止めるか）を判断する。
【００５６】
判断した結果、再度検索する場合には再びネイルアートコンテンツサーバ１０に接続してネイルアートコンテンツを取得する。
判断した結果、他のネイルアートサロンを検索する場合には同様にネイルアートコンテンツサーバ１０に接続して他のネイルアートサロンを検索する。
その後は、前記と同様にやりとりを行う。
【００５７】
以上、本発明の実施の形態を説明したが、本発明は上記の実施形態に限定されるものではない。例えば、第２実施形態でユーザ端末２０がネイルアートサロンの端末４０と直接予約の確認を行ったが、ネイルアートコンテンツサーバ１０がネイルアートサロンの端末４０の保有する情報を直接またはネットワークを介して保有することによってユーザ端末２０とネイルアートコンテンツサーバ１０との間で予約を行うことも本発明の範囲内である。
【００５８】
さらに、第１実施形態および第２実施形態では、ネイルアートコンテンツ表示システムとして説明したしたが、ネイルアートコンテンツサーバ１０はネイルアートコンテンツ表示装置としての機能も有している。したがって、本発明はこのようなネイルアートコンテンツ表示装置も範囲内である。
また、ネイルアートのＩＤ情報やファイル名等にネイルアーティストのランク情報を組み込み、ネイルアーティストのランクに応じたネイルサロンの予約システムは新規である。したがって、本発明は、ネイルアートサロンの予約システムも包含する。
【図面の簡単な説明】
【００５９】
【図１】本発明の第1実施形態にかかるネイルアートコンテンツ表示システムの全体の構成を示す図面である。
【図２】本発明のネイルアートコンテンツ表示システムにおけるユーザインターフェースの一例を示す図面であり、（ａ）は登録画面を（ｂ）は初期画面の一例を示す。
【図３】ユーザ端末による検索画面の一例を示す図面である。
【図４】ネイルアートコンテンツの表示例を示す図面である。
【図５】ネイルアートコンテンツの表示例を示す図面である。
【図６】本発明のネイルアートコンテンツ表示システムにおけるネイルアートサーバの一実施形態を示す図面である。
【図７】ネイルアートコンテンツ表示システムにおけるコンテンツ管理テーブルの一例を示す図面である。
【図８】本発明の第２実施形態にかかるネイルアートコンテンツ表示システムの全体の構成を示す図面である。
【図９】ユーザ端末とネイルアートサーバとアートサロンの端末とのデータの受け渡しを示す図面である。
【符号の説明】
【００６０】
１０    ネイルアートサーバ
１１    コンテンツ
１２    ユーザ情報
１３    アーティスト情報
１４    ネイルアートサロン情報
２０    ユーザ端末
３０    アーティストの端末
４０    ネイルアートサロンの端末
４１  アーティスト情報
４２  予約情報
４３  消耗品・道具情報
【図１】
2008165316.tif 000003
【図２】
2008165316.tif 000004
【図３】
2008165316.tif 000005
【図４】
2008165316.tif 000006
【図５】
2008165316.tif 000007
【図６】
2008165316.tif 000008
【図７】
2008165316.tif 000009
【図８】
2008165316.tif 000010
【図９】
2008165316.tif 000011